(57)【要約】【課題】データを配信する装置へのアクセス集中を回避するとともに、データの閲覧日をコントロールすることができるコンテンツ配信システムを提供すること。【解決手段】本発明にかかるコンテンツ配信システムは、配信サーバ１０と、配信サーバ１０と複数のホーム機器３０との間に配置されるホームゲートウェイ２０とを備える。配信サーバ１０は、保有するコンテンツのうち閲覧可能タイミング前の閲覧前コンテンツを配信対象装置として予め登録されているホームゲートウェイ２０に配信し、ホームゲートウェイ２０は、配信サーバ１０から配信された閲覧前コンテンツを格納し、ホーム機器３０から閲覧前コンテンツへアクセスされた際に、閲覧可能タイミング前である場合閲覧前コンテンツに対するアクセスを禁止し、閲覧可能タイミング後である場合閲覧前コンテンツに対するアクセスを許容する。【選択図】図１
2014191434.tif 000002
【特許請求の範囲】
【請求項１】
コンテンツを配信する配信サーバと、
前記配信サーバとホームネットワークに接続されている複数のホーム機器との間に配置されるホームゲートウェイと、を備え、
前記配信サーバは、
保有するコンテンツのうち閲覧可能タイミング前の閲覧前コンテンツを配信対象装置として予め登録されているホームゲートウェイに配信する配信手段を有し、
前記ホームゲートウェイは、
前記配信サーバから配信された前記閲覧前コンテンツを格納する格納手段と、
前記ホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するアクセス制御手段と、を有するコンテンツ配信システム。
【請求項２】
前記格納手段は、
前記配信サーバからコンテンツの削除要求が通知された場合、前記削除要求の対象となるコンテンツを削除する、請求項１に記載のコンテンツ配信システム。
【請求項３】
前記ホームゲートウェイは、
前記配信サーバから前記閲覧可能タイミング前の閲覧前コンテンツの変更要求が通知された場合、前記閲覧前コンテンツを前記変更要求において指示されている変更要求内容に基づいて変更するコンテンツ編集手段をさらに備える、請求項１又は２に記載のコンテンツ配信システム。
【請求項４】
前記コンテンツ編集手段は、
前記配信サーバから前記変更要求とともに送信されたコンテンツ差分データを受信し、前記変更要求において指定された前記閲覧前コンテンツの変更箇所のデータを前記コンテンツ差分データに置き換える、請求項３に記載のコンテンツ配信システム。
【請求項５】
前記配信サーバは、
前記ホームネットワークとは異なる外部ネットワークに配置される、請求項１乃至４のいずれか１項に記載のコンテンツ配信システム。
【請求項６】
前記配信サーバは、
前記配信対象装置として予め定められた複数のホームゲートウェイに対する前記閲覧前コンテンツの配信タイミングが異なるように制御する配信タイミング制御手段をさらに備える、請求項１乃至５のいずれか１項に記載のコンテンツ配信システム。
【請求項７】
配信された閲覧可能タイミング前の閲覧前コンテンツを格納し、ホームネットワークに接続されている複数のホーム機器から前記閲覧可能タイミング前に前記閲覧前コンテンツにアクセスがあった場合に、前記アクセスを禁止し、前記閲覧可能タイミング後に前記閲覧前コンテンツにアクセスがあった場合に、前記アクセスを許容するホームゲートウェイのうち、予め配信対象として登録された前記ホームゲートウェイへ前記閲覧前コンテンツを配信する配信手段を備える、配信サーバ。
【請求項８】
配信サーバから配信された閲覧可能タイミング前の閲覧前コンテンツを格納する格納手段と、
ホームネットワークに接続されている複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するアクセス制御手段と、を備えるホームゲートウェイ。
【請求項９】
保有するコンテンツのうち閲覧可能タイミング前の閲覧前コンテンツを配信対象装置として予め登録されているホームゲートウェイに配信し、
配信された前記閲覧前コンテンツを格納し、
ホームネットワークに接続されている複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するコンテンツ配信方法。
【請求項１０】
配信サーバから配信された閲覧可能タイミング前の閲覧前コンテンツを格納するステップと、
ホームネットワークに接続された複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するステップと、をコンピュータに実行させるプログラム。
【発明の詳細な説明】
【技術分野】
【０００１】
本発明はコンテンツ配信システム、配信サーバ、ホームゲートウェイ、コンテンツ配信方法及びプログラムに関し、特にホームゲートウェイを介してホーム機器へコンテンツ配信を行うコンテンツ配信システム、配信サーバ、ホームゲートウェイ、コンテンツ配信方法及びプログラムに関する。
【背景技術】
【０００２】
近年、スマートフォン端末の普及及び通信速度の向上等により、動画コンテンツをスマートフォン端末もしくはパーソナルコンピュータ等の通信装置を用いて閲覧するユーザが増加している。さらに、宅内に位置するユーザは、移動通信事業者が提供する無線回線ではなく、無線ＬＡＮ（Local Area Network）等の無線回線を介してホームゲートウェイへ接続し、さらにホームゲートウェイを介して動画コンテンツを配信するコンテンツ配信サーバへアクセスして動画コンテンツをダウンロードすることができる。このようにスマートフォン端末を有するユーザにとって、動画コンテンツを閲覧する環境は日々良くなっており、今後さらに動画コンテンツを配信する配信サービスが普及することが予測される。
【０００３】
特許文献１には、ユーザ機器と配信装置との間にホームゲートウェイを配置するネットワーク構成が開示されている。ホームゲートウェイは、ユーザ機器とホームネットワークを介して接続し、配信装置とインターネット等の通信ネットワークを介して接続する。ここで、ゲートウェイ装置は、定期的に配信装置からデータをダウンロードする。さらに、ゲートウェイ装置は、ユーザ機器から配信装置に対してデータのダウンロード要求が行われると、自装置内にユーザ機器がダウンロードを要求するデータを蓄積している場合、蓄積しているデータをユーザ機器へ送信し、当該データを蓄積していない場合、ユーザ機器と配信装置との間の接続を中継する。これより、複数のユーザ機器から一斉にデータのダウンロード要求が行われた場合においても、ゲートウェイ装置から配信装置へ通知されるダウンロード要求を減少させることができるため、配信装置へアクセスが集中することを回避することができる。
【先行技術文献】
【特許文献】
【０００４】
【特許文献１】特開２０１０−２８６９９３号公報
【発明の概要】
【発明が解決しようとする課題】
【０００５】
ここで、特許文献１に記載された技術を用いた場合、配信装置を用いてサービスを提供するサービス提供者は、データの閲覧可能日におけるユーザ機器から配信装置へのアクセス集中を回避するために、配信装置からホームゲートウェイへ閲覧可能日前のデータを予め送信しておくことができる。しかし、このような場合、ユーザ機器は、ホームゲートウェイに自由にアクセスすることができるため、閲覧可能日前にも関わらず、ホームゲートウェイに格納されたデータを閲覧することができるという問題が発生する。
【０００６】
つまり、特許文献１に記載された技術を用いた場合、サービス提供者が、配信装置へのアクセス集中を回避するとともに、データの閲覧日をコントロールするというサービスを提供することができないという問題が発生する。
【０００７】
本発明は、このような問題を解決するために、データを配信する装置へのアクセス集中を回避するとともに、データの閲覧日をコントロールすることができるコンテンツ配信システム、配信サーバ、ホームゲートウェイ、コンテンツ配信方法及びプログラムを提供することを目的とする。
【課題を解決するための手段】
【０００８】
本発明の第１の態様にかかるコンテンツ配信システムは、コンテンツを配信する配信サーバと、前記配信サーバとホームネットワークに接続されている複数のホーム機器との間に配置されるホームゲートウェイと、を備え、前記配信サーバは、保有するコンテンツのうち閲覧可能タイミング前の閲覧前コンテンツを配信対象装置として予め登録されているホームゲートウェイに配信する配信手段を有し、前記ホームゲートウェイは、前記配信サーバから配信された前記閲覧前コンテンツを格納する格納手段と、前記ホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するアクセス制御手段と、を有するものである。
【０００９】
本発明の第２の態様にかかる配信サーバは、配信された閲覧可能タイミング前の閲覧前コンテンツを格納し、ホームネットワークに接続されている複数のホーム機器から前記閲覧可能タイミング前に前記閲覧前コンテンツにアクセスがあった場合に、前記アクセスを禁止し、前記閲覧可能タイミング後に前記閲覧前コンテンツにアクセスがあった場合に、前記アクセスを許容するホームゲートウェイのうち、予め配信対象として登録された前記ホームゲートウェイへ前記閲覧前コンテンツを配信する配信手段を備えるものである。
【００１０】
本発明の第３の態様にかかるホームゲートウェイは、配信サーバから配信された閲覧可能タイミング前の閲覧前コンテンツを格納する格納手段と、ホームネットワークに接続されている複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するアクセス制御手段と、を備えるものである。
【００１１】
本発明の第４の態様にかかるコンテンツ配信方法は、保有するコンテンツのうち閲覧可能タイミング前の閲覧前コンテンツを配信対象装置として予め登録されているホームゲートウェイに配信し、配信された前記閲覧前コンテンツを格納し、ホームネットワークに接続されている複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するものである。
【００１２】
本発明の第５の態様にかかるプログラムは、配信サーバから配信された閲覧可能タイミング前の閲覧前コンテンツを格納するステップと、ホームネットワークに接続された複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するステップと、をコンピュータに実行させるものである。
【発明の効果】
【００１３】
本発明により、データを配信する装置へのアクセス集中を回避するとともに、データの閲覧日をコントロールすることができるコンテンツ配信システム、配信サーバ、ホームゲートウェイ、コンテンツ配信方法及びプログラムを提供することができる。
【図面の簡単な説明】
【００１４】
【図１】実施の形態１にかかるコンテンツ配信システムの構成図である。
【図２】実施の形態２にかかるコンテンツ配信システムの構成図である。
【図３】実施の形態２にかかるコンテンツ配信処理の流れを示す図である。
【図４】実施の形態３にかかるホームゲートウェイの構成図である。
【図５】実施の形態３にかかる閲覧前コンテンツの変更を示す図である。
【図６】実施の形態３にかかるコンテンツ変更処理の流れを示す図である。
【図７】実施の形態２にかかるコンテンツ削除処理の流れを示す図である。
【発明を実施するための形態】
【００１５】
（実施の形態１）
以下、図面を参照して本発明の実施の形態について説明する。図１を用いて本発明の実施の形態１にかかるコンテンツ配信システムの構成例について説明する。コンテンツ配信システムは、配信サーバ１０、ホームゲートウェイ（ＨＧＷ）２０及び複数のホーム機器３０を有している。ＨＧＷ２０及び複数のホーム機器３０は、ホームネットワークを介して接続されている。また、ＨＧＷ２０及びホーム機器３０は、無線ＬＡＮ（Local Area Network）等の無線回線を介して接続されてもよい。配信サーバ１０及びＨＧＷ２０は、ホームネットワークとは異なる外部ネットワーク、例えばインターネット等を介して接続されている。次に、配信サーバ１０の構成例について説明する。
【００１６】
配信サーバ１０は、配信部１１を有している。配信サーバは、ＨＧＷ２０を介して複数のホーム機器３０へコンテンツを配信する。ここで、配信部１１は、配信サーバ１０が保有するコンテンツのうち閲覧可能タイミング前の閲覧前コンテンツを配信対象装置として予め登録されているＨＧＷ２０へ配信する。
【００１７】
コンテンツは、動画データもしくは静止画データ等であってもよく、さらにホーム機器３０において実行されるプログラムもしくはアプリケーション等であってもよい。
【００１８】
閲覧可能タイミングとは、例えば、予め定められた閲覧可能日もしくは閲覧可能時刻等である。もしくは、閲覧可能タイミングは、配信サーバ１０がＨＧＷ２０へコンテンツの閲覧許可を通知するタイミングであってもよい。閲覧前コンテンツとは、閲覧可能タイミング前のコンテンツであって、いずれのホーム機器３０においても閲覧されていないコンテンツである。配信サーバ１０は、閲覧前コンテンツと、すでにＨＧＷ２０へ配信され、ホーム機器３０において閲覧されたコンテンツとを保有している。
【００１９】
配信対象装置は、閲覧前コンテンツを、閲覧可能タイミング前に予め配信サーバ１０から配信される装置である。ここでは、配信対象装置としてＨＧＷ２０を例に挙げて説明している。配信サーバ１０は、予めＨＧＷ２０を配信対象装置として登録している。
【００２０】
次に、ＨＧＷ２０の構成例について説明する。ＨＧＷ２０は、格納部２１及びアクセス制御部２２を有している。格納部２１は、配信部１１から配信された閲覧前コンテンツを格納する。格納部２１は、内部メモリもしくはＨＧＷ２０に接続されるハードディスク等の記憶装置であってもよい。
【００２１】
アクセス制御部２２は、格納部２１に格納した閲覧前コンテンツに対するアクセスをホーム機器３０から受けた場合、閲覧可能タイミングに基づいて閲覧前コンテンツに対するアクセスを許容するか否かを判定する。アクセス制御部２２は、ホーム機器３０から閲覧前コンテンツに対するアクセスを閲覧可能タイミング前に受けた場合、閲覧前コンテンツに対するアクセスを禁止する。アクセス制御部２２は、ホーム機器３０から閲覧前コンテンツに対するアクセスを閲覧可能タイミング後に受けた場合、閲覧前コンテンツに対するアクセスを許容する。
【００２２】
アクセス制御部２２は、配信サーバ１０から閲覧前コンテンツを受信するとともに閲覧前コンテンツの閲覧可能タイミングを示す情報を合わせて受信してもよい。もしくは、アクセス制御部２２は、配信サーバ１０から閲覧前コンテンツが配信された後に、配信サーバ１０から閲覧許可メッセージが送信されると、その後閲覧前コンテンツへのアクセスを許容するようにしてもよい。
【００２３】
ホーム機器３０は、ホームネットワークを介してＨＧＷ２０と接続される装置であり、例えば、スマートフォン端末もしくはパーソナルコンピュータ等の通信装置であってもよい。もしくは、ホーム機器３０は、通信機能を有する冷蔵庫もしくはテレビ等の家電機器であってもよい。
【００２４】
以上説明したように、本発明の実施の形態１にかかるコンテンツ配信システムを用いることにより、ホームゲートウェイは、閲覧可能タイミングに基づいて閲覧前コンテンツに対するアクセスを許容するか否かを判定することができる。これにより、閲覧前コンテンツを配信するサービス提供者は、閲覧前コンテンツの閲覧タイミングをコントロールすることができる。つまり、サービス提供者が、閲覧可能タイミングに関する情報をＨＧＷ２０へ通知することにより、ホーム機器３０は、サービス提供者によって予定された閲覧可能タイミング前に閲覧前コンテンツを閲覧することはできなくなる。
【００２５】
さらに、ＨＧＷ２０において閲覧可能タイミング前に閲覧前コンテンツがホーム機器３０へ閲覧されることはない。そのため、サービス提供者は、配信サーバ１０に格納されている閲覧前コンテンツを閲覧可能タイミング前にＨＧＷ２０へ送信することができる。これによって、閲覧可能タイミングにおいて複数のホーム機器３０から配信サーバ１０に対して一斉にアクセスされることを防止することができる。なぜなら、配信対象装置として予め登録されたＨＧＷ２０に接続されているホーム機器３０は、ＨＧＷ２０の格納部２１から閲覧前コンテンツをダウンロードすることができるからである。このような場合、配信サーバ１０は、配信対象装置として予め登録されていないＨＧＷに接続されているホーム機器からのみ閲覧前コンテンツに関するアクセスを受け付ける。
【００２６】
（実施の形態２）
続いて、図２を用いて本発明の実施の形態２にかかるコンテンツ配信システムの構成例について説明する。図２のコンテンツ配信システムにおいて、図１と同様の構成には同一の符号を付して説明する。
【００２７】
本図のコンテンツ配信システムは、配信サーバ１０とＨＧＷ２０＿１〜２０＿ｎを有している。ｎは、２以上の任意の自然数であり、本図は、配信サーバ１０が複数のＨＧＷと接続していることを示している。さらに、配信サーバ１０は、ＨＧＷ２０＿１〜２０＿ｎを配信対象装置として登録している。
【００２８】
次に、配信サーバ１０の構成例について説明する。配信サーバ１０は、配信部１１及び配信タイミング制御部１２を有している。配信部１１は、図１と同様の機能を有するため詳細な説明を省略する。
【００２９】
配信タイミング制御部１２は、ＨＧＷ２０＿１〜２０＿ｎに対する閲覧前コンテンツの配信タイミングが異なるように制御する。例えば、配信部１１が、ＨＧＷ２０＿１〜２０＿ｎへすべて同一のタイミングに閲覧前コンテンツを配信する場合、複数のホーム機器３０から同時にアクセスが集中する場合の処理と同様に、配信サーバ１０の処理負荷が上昇する。そのために、配信タイミング制御部１２は、ＨＧＷ２０＿１〜２０＿ｎへ閲覧前コンテンツを配信するタイミングをそれぞれずらすように制御する。これにより、配信サーバ１０における処理負荷が一時的に上昇することを防止することができる。
【００３０】
続いて、図３を用いて本発明の実施の形態２にかかるコンテンツ配信処理の流れについて説明する。本図においては、配信対象装置としてＨＧＷ２０＿１及び２０＿２を用いて説明する。はじめに、ＨＧＷ２０＿１は、配信サーバ１０へ配信対象装置として登録を要求する登録要求メッセージを送信する（Ｓ１１）。さらに、ＨＧＷ２０＿２も、配信サーバ１０へ配信対象装置として登録を要求する登録要求メッセージを送信する（Ｓ１２）。配信サーバ１０は、ＨＧＷ２０＿１及び２０＿２から登録要求メッセージを受けると、閲覧前コンテンツの配信先として、ＨＧＷ２０＿１及び２０＿２を登録する。
【００３１】
次に、配信タイミング制御部１２は、保有するコンテンツのうち、閲覧可能タイミング前の閲覧前コンテンツＡをＨＧＷ２０＿１へ配信する（Ｓ１３）。さらに、配信タイミング制御部１２は、閲覧前コンテンツＡのほかに閲覧前コンテンツＢが存在する場合、閲覧前コンテンツＢをＨＧＷ２０＿１へ配信する（Ｓ１４）。
【００３２】
次に、配信タイミング制御部１２は、ＨＧＷ２０＿１に対するコンテンツ配信が完了し、所定の期間経過後に閲覧前コンテンツＡをＨＧＷ２０＿２へ配信し（Ｓ１５）、さらに閲覧前コンテンツＢをＨＧＷ２０＿２へ配信する（Ｓ１６）。このようにして、配信タイミング制御部１２は、配信するタイミングをずらして閲覧前コンテンツＡ及びＢをＨＧＷ２０＿１及び２０＿２へ配信する。
【００３３】
ここで、配信タイミング制御部１２は、閲覧前コンテンツＡをＨＧＷ２０＿１へ配信し、その後閲覧前コンテンツＡをＨＧＷ２０＿２へ配信し、さらにその後閲覧前コンテンツＡと同様に閲覧前コンテンツＢをＨＧＷ２０＿１及び２０＿２へ配信してもよい。
【００３４】
以上説明したように、本発明の実施の形態２にかかるコンテンツ配信システムは、配信サーバ１０に配信対象装置として複数のＨＧＷが登録された場合において、複数のＨＧＷへ閲覧前コンテンツを配信するタイミングをずらすことにより、配信処理における処理負荷の上昇を防止することができる。
【００３５】
（実施の形態３）
続いて、図４を用いて本発明の実施の形態３にかかるＨＧＷ２０の構成例について説明する。ＨＧＷ２０は、格納部２１、アクセス制御部２２及びコンテンツ編集部２３を有している。格納部２１及びアクセス制御部２２は、図１の格納部２１及びアクセス制御部２２と同様の機能を有するため詳細な説明を省略する。
【００３６】
コンテンツ編集部２３は、閲覧可能タイミング前に配信サーバ１０から閲覧前コンテンツの変更要求が通知された場合、変更要求において指示されている変更要求内容に基づいて格納部２１に格納された閲覧前コンテンツの内容を編集する。例えば、配信サーバ１０を管理するサービス提供者が、閲覧可能タイミング前の閲覧前コンテンツが動画コンテンツである場合に、動画コンテンツに含まれる企業宣伝用のコマーシャルを異なる企業のコマーシャルに変更、もしくは、最新のコマーシャルに変更等することを希望する場合がある。このような場合、一般的には、配信サーバ１０からすでに配信されたコンテンツの内容を変更することはできない。このようにコンテンツの内容を変更する場合、一般的には、新たなコンテンツを作成して配信する必要がある。
【００３７】
これに対して、ＨＧＷ２０がコンテンツ編集部２３を有することにより、配信サーバ１０からすでに配信された閲覧前コンテンツの内容を変更することができる。例えば、配信サーバ１０は、閲覧可能タイミング前の閲覧前コンテンツの変更要求メッセージをＨＧＷ２０へ送信する。また、配信サーバ１０は、変更要求メッセージとともに変更後のコンテンツデータをＨＧＷ２０へ送信する。変更後のコンテンツデータは、閲覧前コンテンツの変更部分の差分データ（以下、コンテンツ差分データと称する）であってもよい。
【００３８】
コンテンツ編集部２３は、配信サーバ１０から変更要求メッセージ及びコンテンツ差分データを受信すると、格納部２１に格納された閲覧前コンテンツの変更要求箇所のデータをコンテンツ差分データに置き換えて閲覧前コンテンツを変更する。
【００３９】
ここで、図５を用いて本発明の実施の形態３にかかる閲覧前コンテンツの変更について説明する。例えば、コンテンツＡは、第１オクテットから第８オクテットまでのデータを用いて構成されているとする。本図においては、コンテンツＡを構成するデータのうち、第６オクテットのデータを変更する場合について説明する。変更前のコンテンツＡの第６オクテットのデータが、「０１０１０１０１」である場合に、配信サーバ１０が第６オクテットのデータを「０１０１１００１」へ変更するとする。この場合、配信サーバ１０は、コンテンツ差分データとして「０１０１１００１」を変更要求メッセージとともにＨＧＷ２０へ送信する。配信サーバ１０は、コンテンツ差分データがどの領域の差分データであるかに関する情報を変更要求メッセージに設定してもよく、もしくは、コンテンツ差分データをパケットデータとして送信する場合、パケットデータのヘッダ部に設定してもよい。このようにして配信サーバ１０からＨＧＷ２０へコンテンツ差分データがどの領域の差分データであるかに関する情報を通知することにより、ＨＧＷ２０は、コンテンツ差分データを適用する領域を認識することができる。
【００４０】
コンテンツ編集部２３は、コンテンツ差分データを受信すると、コンテンツＡの中でデータを変更する領域として指定された箇所のデータをコンテンツ差分データへ変更する。
【００４１】
続いて、図６を用いて本発明の実施の形態３にかかるコンテンツ変更処理の流れについて説明する。はじめに、ＨＧＷ２０は、配信サーバ１０に対して閲覧前コンテンツの配信対象装置として登録を要求する登録要求メッセージを送信する（Ｓ２１）。次に、配信サーバ１０は、配信対象装置として登録したＨＧＷ２０へ閲覧前コンテンツＡ及びＢを配信する（Ｓ２２、Ｓ２３）。
【００４２】
次に、配信サーバ１０は、コンテンツＡの変更を要求するコンテンツＡ変更要求メッセージを送信する（Ｓ２４）。配信サーバ１０は、コンテンツＡ変更要求メッセージとともにコンテンツ差分データも併せて送信する。
【００４３】
次に、ＨＧＷ２０は、コンテンツＡ変更要求メッセージ及びコンテンツ差分データを受信すると、コンテンツＡの変更要求箇所をコンテンツ差分データに変更し、コンテンツＡを編集する（Ｓ２５）。
【００４４】
以上説明したように、本発明の実施の形態３にかかるコンテンツ配信システムを用いることにより、配信サーバ１０は、閲覧前コンテンツをＨＧＷ２０へ配信した後においても、配信済みの閲覧前コンテンツの内容を編集することができる。これにより、例えば配信サーバ１０は、コンテンツ作成時期とコンテンツの閲覧時期との間が長期間に及んだ場合においても、コンテンツ閲覧時期に合わせて閲覧前コンテンツを最新の状態に更新することができる。
【００４５】
また、配信サーバ１０は、図７のステップＳ３０に示すように、閲覧前コンテンツをＨＧＷ２０へ配信した後においても、配信済みの閲覧前コンテンツをＨＧＷ２０から削除することを要求してもよい。ここで、図７のステップＳ２１〜Ｓ２３は、図６と同様であるため詳細な説明を省略する。ＨＧＷ２０は、配信サーバ１０から閲覧前コンテンツの削除を要求された場合、格納部２１に格納されている削除対象となるコンテンツを削除する。これにより、配信サーバ１０を管理するサービス提供者が、閲覧可能タイミング前に配信した閲覧前コンテンツをホーム機器３０へ配信することが不適当であると判定した場合、閲覧前コンテンツを閲覧可能タイミング前に削除することができる。
【００４６】
上述の実施の形態では、本発明をハードウェアの構成として説明したが、本発明は、これに限定されるものではない。本発明は、配信サーバ１０における配信処理もしくはＨＧＷ２０における閲覧前コンテンツへのアクセスを許可するか否かに関する処理を、ＣＰＵ（Central Processing Unit）にコンピュータプログラムを実行させることにより実現することも可能である。）
【００４７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４８】
なお、本発明は上記実施の形態に限られたものではなく、趣旨を逸脱しない範囲で適宜変更することが可能である。
【００４９】
（付記１）コンテンツを配信する配信サーバと、前記配信サーバとホームネットワークに接続されている複数のホーム機器との間に配置されるホームゲートウェイと、を備え、前記配信サーバは、保有するコンテンツのうち閲覧可能タイミング前の閲覧前コンテンツを配信対象装置として予め登録されているホームゲートウェイに配信する配信手段を有し、前記ホームゲートウェイは、前記配信サーバから配信された前記閲覧前コンテンツを格納する格納手段と、前記ホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するアクセス制御手段と、を有するコンテンツ配信システム。
【００５０】
（付記２）前記格納手段は、前記配信サーバからコンテンツの削除要求が通知された場合、前記削除要求の対象となるコンテンツを削除する、付記１に記載のコンテンツ配信システム。
【００５１】
（付記３）前記ホームゲートウェイは、前記配信サーバから前記閲覧可能タイミング前の閲覧前コンテンツの変更要求が通知された場合、前記閲覧前コンテンツを前記変更要求において指示されている変更要求内容に基づいて変更するコンテンツ編集手段をさらに備える、付記１又は２に記載のコンテンツ配信システム。
【００５２】
（付記４）前記コンテンツ編集手段は、前記配信サーバから前記変更要求とともに送信されたコンテンツ差分データを受信し、前記変更要求において指定された前記閲覧前コンテンツの変更箇所のデータを前記コンテンツ差分データに置き換える、付記３に記載のコンテンツ配信システム。
【００５３】
（付記５）前記配信サーバは、前記ホームネットワークとは異なる外部ネットワークに配置される、付記１乃至４のいずれか１項に記載のコンテンツ配信システム。
【００５４】
（付記６）前記配信サーバは、前記配信対象装置として予め定められた複数のホームゲートウェイに対する前記閲覧前コンテンツの配信タイミングが異なるように制御する配信タイミング制御手段をさらに備える、付記１乃至５のいずれか１項に記載のコンテンツ配信システム。
【００５５】
（付記７）配信された閲覧可能タイミング前の閲覧前コンテンツを格納し、ホームネットワークに接続されている複数のホーム機器から前記閲覧可能タイミング前に前記閲覧前コンテンツにアクセスがあった場合に、前記アクセスを禁止し、前記閲覧可能タイミング後に前記閲覧前コンテンツにアクセスがあった場合に、前記アクセスを許容するホームゲートウェイのうち、予め配信対象として登録された前記ホームゲートウェイへ前記閲覧前コンテンツを配信する配信手段を備える、配信サーバ。
【００５６】
（付記８）前記配信手段は、前記閲覧可能タイミング前に、前記ホームゲートウェイに格納された前記閲覧前コンテンツの削除を要求する削除要求を通知する、付記７に記載の配信サーバ。
【００５７】
（付記９）前記配信手段は、前記閲覧可能タイミング前に、前記ホームゲートウェイに格納された前記閲覧前コンテンツの変更を要求する際に、前記閲覧前コンテンツを識別する識別子と、変更後のデータであるコンテンツ差分データを含む変更要求を前記ホームゲートウェイへ通知する、付記７又は８に記載の配信サーバ。
【００５８】
（付記１０）前記配信対象として予め登録された複数の前記ホームゲートウェイに対する前記閲覧前コンテンツの配信タイミングが異なるように制御する配信タイミング制御手段をさらに備える、付記７乃至９のいずれか１項に記載の配信サーバ。
【００５９】
（付記１１）配信サーバから配信された閲覧可能タイミング前の閲覧前コンテンツを格納する格納手段と、ホームネットワークに接続されている複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するアクセス制御手段と、を備えるホームゲートウェイ。
【００６０】
（付記１２）前記格納手段は、前記配信サーバからコンテンツの削除要求が通知された場合、前記削除要求の対象となるコンテンツを削除する、付記１１に記載のホームゲートウェイ。
【００６１】
（付記１３）前記配信サーバから前記閲覧可能タイミング前の閲覧前コンテンツの変更要求が通知された場合、前記閲覧前コンテンツを前記変更要求において指示されている変更要求内容に基づいて変更するコンテンツ編集手段をさらに備える、付記１１又は１２に記載のホームゲートウェイ。
【００６２】
（付記１４）前記コンテンツ編集手段は、前記配信サーバから前記変更要求とともに送信されたコンテンツ差分データを受信し、前記変更要求において指定された前記閲覧前コンテンツの変更箇所のデータを前記コンテンツ差分データに置き換える、付記１３に記載のホームゲートウェイ。
【００６３】
（付記１５）保有するコンテンツのうち閲覧可能タイミング前の閲覧前コンテンツを配信対象装置として予め登録されているホームゲートウェイに配信し、配信された前記閲覧前コンテンツを格納し、ホームネットワークに接続されている複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するコンテンツ配信方法。
【００６４】
（付記１６）閲覧可能タイミング前の閲覧前コンテンツを格納し、ホームネットワークに接続さえている複数のホーム機器から前記閲覧可能タイミング前に前記閲覧前コンテンツにアクセスがあった場合に、前記アクセスを禁止し、前記閲覧可能タイミング後に前記閲覧前コンテンツにアクセスがあった場合に、前記アクセスを許容するホームゲートウェイのうち、予め配信対象として登録された前記ホームゲートウェイへ前記閲覧前コンテンツを配信するステップをコンピュータに実行させるプログラム。
【００６５】
（付記１７）配信サーバから配信された閲覧可能タイミング前の閲覧前コンテンツを格納するステップと、ホームネットワークに接続された複数のホーム機器から前記閲覧前コンテンツへアクセスされた際に、前記閲覧可能タイミング前である場合前記閲覧前コンテンツに対するアクセスを禁止し、前記閲覧可能タイミング後である場合前記閲覧前コンテンツに対するアクセスを許容するステップと、をコンピュータに実行させるプログラム。
【符号の説明】
【００６６】
１０  配信サーバ
１１  配信部
１２  配信タイミング制御部
２０  ＨＧＷ
２０＿１〜２０＿ｎ  ＨＧＷ
２１  格納部
２２  アクセス制御部
２３  コンテンツ編集部
３０  ホーム機器
【図１】
2014191434.tif 000003
【図２】
2014191434.tif 000004
【図３】
2014191434.tif 000005
【図４】
2014191434.tif 000006
【図５】
2014191434.tif 000007
【図６】
2014191434.tif 000008
【図７】
2014191434.tif 000009